(57)【特許請求の範囲】
【請求項１】
偶数多角形の環状のテーブル用の天板であって、
前記多角形の環状に配置され、当該多角形の一辺を構成しており且つ直角三角形状の第１端部とその反対側の第２端部とを有する複数のプレートと、
隣り合う前記プレートの第１端部の斜辺同士を、展開状態と当該プレートが互いに重なり合う折り畳み状態との間で開閉自在に連結する複数の蝶番と、
隣り合うプレートの第２端部同士を着脱自在に連結する複数の連結部とを備えているテーブル用の天板。
【請求項２】
請求項１記載のテーブル用の天板において、
前記プレートの第２端部は直角三角形状であり、
前記連結部は隣り合う前記プレートの第２端部の斜辺同士を着脱自在に連結しているテーブル用の天板。
【請求項３】
円環状のテーブル用の天板であって、
前記円環状に配置され、当該円環の一部を構成しており且つ第１端部とその反対側の第２端部とを有する４以上の偶数の円弧状のプレートと、
隣り合う前記プレートの第１端部同士を、展開状態と当該プレートが互いに重なり合う折り畳み状態との間で開閉自在に連結する複数の蝶番と、
隣り合う前記プレートの第２端部同士を着脱自在に連結する複数の連結部とを備えているテーブル用の天板。
【請求項４】
請求項１〜３の何れかに記載のテーブル用の天板において、
前記プレートの少なくとも１つには、当該プレートを貫通する貫通孔が設けられているテーブル用の天板。
【請求項５】
請求項１〜４の何れかに記載のテーブル用の天板と、
前記天板の前記プレートの少なくとも３つに設けられ且つ当該プレートに対して略直角に起立する起立位置から当該プレートに沿う折り畳み位置にかけて回動自在である脚部とを備えている折り畳みテーブル。
【請求項６】
請求項１〜４の何れかに記載のテーブル用の天板と、
前記天板の前記プレートの少なくとも３つに着脱自在に設けられた脚部とを備えている折り畳みテーブル。
【発明の詳細な説明】
【技術分野】
【０００１】
本発明は、テーブル用の天板及びこれを備えた折り畳みテーブルに関する。
【背景技術】
【０００２】
この種のテーブルとしては、四角形の環状の天板と、前記天板を支持する脚部とを備えている。脚部は天板から取り外し可能となっている。天板は、第１、第２端を各々有する略Ｕ字状の第１、第２プレートと、第１プレートの第１端と第２プレートの第１端とに取り付けられた第１蝶番と、第１プレートの第２端と第２プレートの第２端とに取り付けられた第２蝶番とを有している。前記天板は脚部を取り外した状態で、四角形の環状の展開状態から第１、第２プレートを重ね合わせるように折り畳むことができる（特許文献１の図７参照）
【先行技術文献】
【特許文献】
【０００３】
【特許文献１】実開平０７-００５４３８号公報
【発明の概要】
【発明が解決しようとする課題】
【０００４】
ところが、折り畳まれた状態の第１、第２プレートは略Ｕ字状となる。よって、前記天板は折り畳んだ状態でも大きく、可搬性が悪かった。
【０００５】
本発明は、上記事情に鑑みて創案されたものであって、その目的とするところは、可搬性を向上させることができるテーブル用の天板及びこれを備えた折り畳みテーブルを提供することにある。
【課題を解決するための手段】
【０００６】
上記課題を解決するために、本発明の第１テーブル用の天板は、偶数多角形の環状のテーブル用の天板である。前記天板は、前記多角形の環状に配置され、当該多角形の一辺を構成しており且つ直角三角形状の第１端部とその反対側の第２端部とを有する複数のプレートと、隣り合う前記プレートの第１端部の斜辺同士を、展開状態と当該プレートが互いに重なり合う折り畳み状態との間で開閉自在に連結する複数の蝶番と、隣り合うプレートの第２端部同士を着脱自在に連結する複数の連結部とを備えている。
【０００７】
このような発明の態様による場合、連結部によるプレートの第２端部同士の連結を解除する。その後、蝶番でプレートを展開状態から折り畳み状態にかけて回動させることにより、プレートを重ねて折り畳むことができる。すなわち、前記テーブル用の天板は、隣り合う２つのプレート毎に分割され、当該プレートが重なり合うように折り畳まれる。よって、前記テーブル用の天板は、２つのプレートがＵ字状に折り畳まれる従来のテーブル用の天板に比べてコンパクトに折り畳むことができるので、可搬性が向上する。
【０００８】
前記プレートの第２端部は直角三角形状とすることが可能である。この場合、前記連結部は隣り合う前記プレートの第２端部の斜辺同士を着脱自在に連結している。このような発明の態様による場合、プレートの第１、第２端部が同形状となるので、当該プレートを同形状とすることが可能になる。
【０００９】
本発明の第２テーブル用の天板は、円環状のテーブル用の天板である。前記天板は、前記円環状に配置され、当該円環の一部を構成しており且つ第１端部とその反対側の第２端部とを有する４以上の偶数の円弧状のプレートと、隣り合う前記プレートの第１端部同士を、展開状態と当該プレートが互いに重なり合う折り畳み状態との間で開閉自在に連結する複数の蝶番と、隣り合う前記プレートの第２端部同士を着脱自在に連結する複数の連結部とを備えている。
【００１０】
このような発明の態様による場合、連結部によるプレートの第２端部同士の連結を解除する。その後、蝶番でプレートを展開状態から折り畳み状態にかけて回動させることにより、プレートを重ねて折り畳むことができる。すなわち、前記テーブル用の天板は、隣り合う２つのプレート毎に分割され、当該プレートが重なり合うように折り畳まれる。よって、前記テーブル用の天板は、２つのプレートがＵ字状に折り畳まれる従来のテーブル用の天板に比べてコンパクトに折り畳むことができるので、可搬性が向上する。
【００１１】
前記プレートの少なくとも１つには、当該プレートを貫通する貫通孔が設けられた構成とすることが可能である。このような発明の態様による場合、貫通孔に、ランタンポールや鍋などを吊り下げるためのポールを挿入保持することが可能になる。
【００１２】
本発明の第１折り畳みテーブルは、上述した何れかの態様のテーブル用の天板と、前記天板の前記プレートの少なくとも３つに設けられ且つ当該プレートに対して略直角に起立する起立位置から当該プレートに沿う折り畳み位置にかけて回動自在である脚部とを備えている。
【００１３】
本発明の第２折り畳みテーブルは、上述した何れかの態様のテーブル用の天板と、前記天板の前記プレートの少なくとも３つに着脱自在に設けられた脚部とを備えている。
【図面の簡単な説明】
【００１４】
【図１Ａ】図１Ａは本発明の実施例に係る折り畳みテーブルの正面図である。
【図１Ｂ】図１Ｂは前記折り畳みテーブルの平面図である。
【図１Ｃ】図１Ｃは前記折り畳みテーブルの底面図である。
【図１Ｄ】図１Ｄは前記折り畳みテーブルの右側面図である。
【図１Ｅ】図１Ｅは前記折り畳みテーブルの斜視図である。
【図２】図２は前記折り畳みテーブルの脚部を折り畳んだ状態を示す底面図である。
【図３】図３は前記折り畳みテーブルの、プレートを折り畳んだ状態を示す平面図である。
【図４】図４は前記折り畳みテーブルの収納状態を示す斜視図である。
【図５】図５は前記折り畳みテーブルの第１設計変形例を示す平面図である。
【図６】図６は前記折り畳みテーブルの第２設計変形例を示す平面図である。
【図７】図７は前記折り畳みテーブルの第３設計変形例を示す平面図である。
【図８】図８は前記折り畳みテーブルの第４の設計変形例を示す模式的平面図である。
【発明を実施するための形態】
【００１５】
以下、本発明の実施例について図１Ａ〜図４を参照しつつ説明する。
【００１６】
図１Ａ〜図２に示す折り畳みテーブルは、正四角形の環状の天板Ｔと、４つの脚部Ｌとを備えている。前記テーブルは、天板Ｔの内側スペースを囲炉裏用のスペースとして用いることができるものである。以下、前記テーブルの各構成要素について詳しく説明する。
【００１７】
天板Ｔは、プレート１００ａ、１００ｂ、１００ｃ、１００ｄと、蝶番２００ａ、２００ｂと、連結部３００ａ、３００ｂとを備えている。プレート１００ａ、１００ｂ、１００ｃ、１００ｄは、図１Ｂ及び図１Ｃに示すように、正四角形の環状に配置され、当該四角環の一辺を構成している。
【００１８】
プレート１００ａは、図１Ｃに示すように、フレーム１１０ａと、網部１２０ａと、一対の梁部１３０ａとを有している。フレーム１１０ａは、スチール等の金属で構成された台形状の枠体である。このフレーム１１０ａは、互いに平行な一対の対辺部と、直角三角形状の第１端部１１１ａと、その反対側の直角三角形状の第２端部１１２ａとを有している。第１端部１１１ａ、１１２ａは、斜辺１１１ａ１、１１２ａ１を有している。斜辺１１２ａ１には、貫通孔である係合孔１１２ａ２が設けられている。網部１２０ａはフレーム１１０ａ内に設けられたスチールやアルミ等の金属製の金網である。網部１２０ａには、貫通孔１２１ａが設けられている。貫通孔１２１ａには、天板Ｔの内側スペースを囲炉裏スペースとして用いた際に囲炉裏上に鍋等を吊り下げるためのポール又はランタンを支持するためのポールが挿入可能となっている。梁部１３０ａは角パイプであって、フレーム１１０ａの対辺部間に懸架されている。
【００１９】
プレート１００ｂ、１００ｃ、１００ｄはプレート１００ａと同じ構成となっている。図１Ａ〜図４中において、１１０ａ、１１０ｂ、１１０ｃはフレームである。１１１ｂ、１１１ｃ、１１１ｄはフレームの第１端部である。１１２ｂ、１１２ｃ、１１２ｄはフレームの第２端部である、１１１ｂ１、１１１ｃ１、１１１ｄ１は第１端部の斜辺、１１２ｂ１、１１２ｃ１、１１２ｄ１は第２端部の斜辺である。１１２ｂ２、１１２ｃ２、１１２ｄ２は第２端部の係合孔である。１２０ｂ、１２０ｃ、１２０ｄは網部である。１２１ｂ、１２１ｃ、１２１ｄは網部の貫通孔である。１３０ｂ、１３０ｃ、１３０ｄは梁部である。
【００２０】
蝶番２００ａは、図１Ｃに示すように、隣り合うプレート１００ａの第１端部１１１ａの斜辺１１１ａ１とプレート１００ｂの第１端部１１１ｂの斜辺１１１ｂ１とを連結している。この蝶番２００ａにより、プレート１００ａ、１００ｂが略Ｌ字状の展開状態（図１Ｃ参照）と、プレート１００ａ、１００ｂが互いに重なり合う略Ｉ字状の折り畳み状態（図３参照）との間で開閉自在（すなわち、回動自在）になっている。
【００２１】
蝶番２００ｂは、図１Ｃに示すように、隣り合うプレート１００ｃの第１端部１１１ｃの斜辺１１１ｃ１とプレート１００ｄの第１端部１１１ｄの斜辺１１１ｄ１とを連結している。この蝶番２００ｂにより、プレート１００ｃ、１００ｄが略Ｌ字状の展開状態（図１Ｃ参照）と、プレート１００ｃ、１００ｄが互いに重なり合う略Ｉ字状の折り畳み状態（図３を借りて参照）との間で開閉自在（すなわち、回動自在）になっている。
【００２２】
連結部３００ａは、図１Ｃに示すように、略Ｕ字状の板金３１０ａと、ピン３２０ａとを有している。板金３１０ａは、プレート１００ａの第２端部１１２ａの斜辺１１２ａ１とプレート１００ｄの第２端部１１２ｄの斜辺１１２ｄ１とに嵌合可能である。板金３１０ａの両端部には、図示しない係合孔が開設されている。板金３１０ａが斜辺１１２ａ１、１１２ｄ１に嵌合した状態で、板金３１０ａの係合孔が斜辺１１２ａ１、１１２ｄ１の係合孔１１２ａ２、１１２ｄ２に連通する。ピン３２０ａは板金３１０ａの係合孔及び斜辺１１２ａ１、１１２ｄ１の係合孔１１２ａ２、１１２ｄ２に挿入され、斜辺１１２ａ１、１１２ｄ１を連結している。
【００２３】
連結部３００ｂは、図１Ｃに示すように、略Ｕ字状の板金３１０ｂと、ピン３２０ｂとを有している。板金３１０ｂは、プレート１００ｂの第２端部１１２ｂの斜辺１１２ｂ１とプレート１００ｃの第２端部１１２ｃの斜辺１１２ｃ１とに嵌合可能である。板金３１０ｂの両端部には、図示しない係合孔が開設されている。板金３１０ｂが斜辺１１２ｂ１、１１２ｃ１に嵌合した状態で、板金３１０ｂの係合孔が斜辺１１２ｂ１、１１２ｃ１の係合孔１１２ｂ２、１１２ｃ２に連通する。ピン３２０ｂは板金３１０ｂの係合孔及び斜辺１１２ｂ１、１１２ｃ１の係合孔１１２ｂ２、１１２ｃ２に挿入され、斜辺１１２ｂ１、１１２ｃ１を連結している。
【００２４】
脚部Ｌは、図１Ｃ及び図２に示すように、回動脚４１０と、補強片４２０と、補強片４３０とを有している。回動脚４１０は、円筒状のポールであって、長さ方向の一端部が一対の梁部１３０ａ〜１３０ｄのうちの一方に各々軸支されている。この回動脚４１０は、プレート１００ａ〜１００ｂに各々沿う折り畳み位置（図２参照）から当該プレート１００ａ〜１００ｂに対して略直角に起立する起立位置（図１Ａ及び図１Ｄ参照）にかけて回動自在になっている。回動脚４１０には、外側に凸のランナ４１１が設けられている。
【００２５】
補強片４２０は長尺状の板である。この補強片４２０の長さ方向の一端側の部分には、図１Ａ及び図１Ｄに示すように、前記長さ方向に延びた長孔４２１が設けられている。長孔４２１に回動脚４１０のランナ４１１が移動自在に嵌合している。補強片４２０の長さ方向の他端部は、フレーム１１０ａ〜１１０ｄの外側の対辺部に各々軸支されている。補強片４２０は、回動脚４１０の回動に伴って前記他端部を支点に折り畳み位置から懸架位置にかけて回動自在になっている。補強片４２０は折り畳み位置でプレート１００ａ〜１００ｂに各々沿う。補強片４２０は懸架位置で回動脚４１０とフレーム１１０ａ〜１１０ｄの外側の対辺部との間に懸架され、回動脚４１０を支持する。
【００２６】
補強片４３０は長尺状の板である。補強片４３０の長さ方向の一端部は回動脚４１０に各々固着されている。補強片４３０の長さ方向の他端部はフレーム１１０ａ〜１１０ｄの内側の対辺部に各々軸支されている。この補強片４３０は、回動脚４１０の回動に伴って前記他端部を支点に折り畳み位置から懸架位置にかけて回動自在になっている。補強片４３０は折り畳み位置でプレート１００ａ〜１００ｂに各々沿う。補強片４３０は、懸架位置で回動脚４１０とフレーム１１０ａ〜１１０ｄの内側の対辺部との間に懸架され、回動脚４１０を支持する。
【００２７】
以下、上述した構成の折り畳みテーブルを組み立てる手順について詳しく説明する。まず、蝶番２００ａを支点に、プレート１００ａ、１００ｂを折り畳み状態から展開状態に回動させる。これにより、プレート１００ａ、１００ｂが略Ｌ字状に展開する。同様に、蝶番２００ｂを支点に、プレート１００ｃ、１００ｄを折り畳み状態から展開状態に回動させる。これにより、プレート１００ｃ、１００ｄが略Ｌ字状に展開する。
【００２８】
その後、プレート１００ａの第２端部１１２ａの斜辺１１２ａ１とプレート１００ｄの第２端部１１２ｄの斜辺１１２ｄ１とを突き合わせる。同様に、プレート１００ｂの第２端部１１２ｂの斜辺１１２ｂ１とプレート１００ｃの第２端部１１２ｃの斜辺１１２ｃ１とを突き合わせる。この状態で、板金３１０ａを斜辺１１２ａ１、１１２ｄ１に取り付ける。同様に、板金３１０ｂを斜辺１１２ｂ１、１１２ｃ１に取り付ける。その後、ピン３２０ａを板金３１０ａの係合孔及び斜辺１１２ａ１、１１２ｄ１の係合孔１１２ａ２、１１２ｄ２に挿入する。これにより、斜辺１１２ａ１、１１２ｄ１が連結される。同様に、ピン３２０ｂを板金３１０ｂの係合孔及び斜辺１１２ｂ１、１１２ｃ１の係合孔１１２ｂ２、１１２ｃ２に挿入する。これにより、斜辺１１２ｂ１、１１２ｃ１が連結される。
【００２９】
その後、脚部Ｌの回動脚４１０を折り畳み位置から起立位置にかけて各々回動させる。すると、補強片４２０、４３０が折り畳み位置から懸架位置にかけて回動する。これにより、回動脚４１０がプレート１００ａ〜１００ｂに対して各々略直角に起立する。補強片４２０、４３０は、回動脚４１０とフレーム１１０ａ〜１１０ｄとの間に懸架される。
【００３０】
以下、上述の通り組み立てられた折り畳みテーブルを折り畳む手順について詳しく説明する。まず、脚部Ｌの回動脚４１０を起立位置から折り畳み位置にかけて各々回動させる。すると、補強片４２０、４３０が懸架位置から折り畳み位置にかけて回動する。これにより、回動脚４１０及び補強片４２０、４３０がプレート１００ａ〜１００ｂに各々沿う。
【００３１】
その後、ピン３２０ａを板金３１０ａの係合孔及び斜辺１１２ａ１、１１２ｄ１の係合孔１１２ａ２、１１２ｄ２から引き抜く。その後、板金３１０ａを斜辺１１２ａ１、１１２ｄ１から取り外す。これにより、斜辺１１２ａ１、１１２ｄ１の連結が解除される。同様に、ピン３２０ｂを板金３１０ｂの係合孔及び斜辺１１２ｂ１、１１２ｃ１の係合孔１１２ｂ２、１１２ｃ２から引き抜く。その後、板金３１０ｂを斜辺１１２ｂ１、１１２ｃ１から取り外す。これにより、斜辺１１２ｂ１、１１２ｃ１の連結が解除される。
【００３２】
その後、蝶番２００ａを支点に、プレート１００ａ、１００ｂを展開状態から折り畳み状態に回動させる。これにより、プレート１００ａ、１００ｂが互いに重なり合い、略Ｉ字状に折り畳まれる。同様に、蝶番２００ｂを支点に、プレート１００ｃ、１００ｄを展開状態から折り畳み状態に回動させる。これにより、プレート１００ｃ、１００ｄが互いに重なり合い、略Ｉ字状に折り畳まれる。その後、図４に示すように、折り畳んだプレート１００ａ、１００ｂと折り畳んだプレート１００ｃ、１００ｄとを積み重ね、収容袋に入れる又はバンド等で固定する。これにより、天板Ｔを容易に可搬することができる。
【００３３】
このような折り畳みテーブルによる場合、プレート１００ａの第１端部１１１ａの斜辺１１１ａ１とプレート１００ｂの第１端部１１１ｂの斜辺１１１ｂ１とが蝶番２００ａで連結されている。プレート１００ｃの第１端部１１１ｃの斜辺１１１ｃ１とプレート１００ｄの第１端部１１１ｄの斜辺１１１ｄ１とが蝶番２００ｂで連結されている。よって、連結部３００ａによるプレート１００ａの第２端部１１２ａとプレート１００ｄの第２端部１１２ｄとの連結を解除した状態で、プレート１００ａ、１００ｂを展開状態から折り畳み状態にかけて回動させることにより、プレート１００ａ、１００ｂを重ねて略Ｉ字状に折り畳むことができる。同様に、連結部３００ｂによるプレート１００ｂの第２端部１１２ｂとプレート１００ｃの第２端部１１２ｃとの連結を解除した状態で、プレート１００ｃ、１００ｄを展開状態から折り畳み状態にかけて回動させることにより、プレート１００ｃ、１００ｄを重ねて略Ｉ字状に折り畳むことができる。すなわち、前記テーブルは、プレート１００ａ、１００ｂと、プレート１００ｃ、１００ｄとに二分割され、プレート１００ａ、１００ｂが重なり合うように折り畳まれ、プレート１００ｃ、１００ｄが重なり合うように折り畳まれる。このように前記折り畳みテーブルは、天板Ｔをコンパクトに折り畳むことができるので、可搬性が向上する。
【００３４】
しかも、プレート１００ａ、１００ｂ、１００ｃ、１００ｄが同形状であるので、プレート１００ａ、１００ｂ、１００ｃ、１００ｄを積み重ねた状態で収容袋に入れとしても、プレート１００ａ、１００ｂ、１００ｃ、１００ｄの何れかの部分が突出してユーザーに当たることがない。この点でも、前記テーブルの可搬性を向上させることができる。
【００３５】
なお、上述した天板及び折り畳みテーブルは、上記実施例に限定されるものではなく、特許請求の範囲の記載範囲において任意に設計変更することが可能である。以下、詳しく述べる。
【００３６】
上記実施例では、天板Ｔは正四角形の環状であるとした。しかし、天板は、偶数多角形の環状又は円環状である限り任意に設計変更することが可能である。
【００３７】
例えば、天板が、図５に示すように正六角形の環状である場合、６つのプレート１０ａ〜１０ｆは、正六角形の多角形の環状に配置され、当該正六角形の一辺を構成しており且つ直角三角形状の第１端部１１ａ〜１１ｆとその反対側の直角三角形状の第２端部１２ａ〜１２ｆとを有する。蝶番２０ａは、隣り合うプレート１０ａ、１０ｂの第１端部１１ａ、１１ｂの斜辺１１ａ１、１１ｂ１同士を略Ｖ字状の展開状態と当該プレート１０ａ、１０ｂが互いに重なり合う略Ｉ字状の折り畳み状態との間で開閉自在（回動自在）に連結する。蝶番２０ｂは、隣り合うプレート１０ｃ、１０ｄの第１端部１１ｃ、１１ｄの斜辺１１ｃ１、１１ｄ１同士を略Ｖ字状の展開状態と当該プレート１０ｃ、１０ｄが互いに重なり合う略Ｉ字状の折り畳み状態との間で開閉自在（回動自在）に連結する。蝶番２０ｃは、隣り合うプレート１０ｅ、１０ｆの第１端部１１ｅ、１１ｆの斜辺１１ｅ１、１１ｆ１同士を略Ｖ字状の展開状態と当該プレート１０ｅ、１０ｆが互いに重なり合う略Ｉ字状の折り畳み状態との間で開閉自在（回動自在）に連結する。連結部３０ａは、隣り合うプレート１０ａ、１０ｆの第２端部１２ａ、１２ｆの斜辺１２ａ１、１２ｆ１同士を着脱自在に連結する。連結部３０ｂは、隣り合うプレート１０ｂ、１０ｃの第２端部１２ｂ、１２ｃの斜辺１２ｂ１、１２ｃ１同士を着脱自在に連結する。連結部３０ｃは、隣り合うプレート１０ｄ、１０ｅの第２端部１２ｄ、１２ｅの斜辺１２ｄ１、１２ｅ１同士を着脱自在に連結する。プレート１０ａ〜１０ｆは、プレート１００ａと長さ寸法が異なる以外、同じ構成である。蝶番２０ａ〜２０ｃは蝶番２００ａと同じ構成である。連結部３０ａ〜３０ｃも連結部３００ａと同じ構成である。なお、天板は、正四角形の環状体や正六角形の環状体に限定されるものではなく、長方形の環状、六角形の環状又は八角形の環状等に設計変更することが可能である。
【００３８】
また、天板が図６に示すように円環状である場合、複数の１／４円弧状のプレート１０ａ’〜１０ｄ’は、前記円環状に配置され、当該円環の一部を構成しており且つ第１端部１１ａ’〜１１ｄ’とその反対側の第２端部１２ａ’〜１２ｄ’とを有する。蝶番２０ａ’は、隣り合うプレート１０ａ’、１０ｂ’の第１端部１１ａ’、１１ｂ’同士を、１／２円弧状の展開状態と当該プレート１０ａ’、１０ｂ’が互いに重なり合う１／４円弧状の折り畳み状態との間で開閉自在（回動自在）に連結する。蝶番２０ｂ’は、隣り合うプレート１０ｃ’、１０ｄ’の第１端部１１ｃ’、１１ｄ’同士を、１／２円弧状の展開状態と当該プレート１０ｃ’、１０ｄ’が互いに重なり合う１／４円弧状の折り畳み状態との間で開閉自在（回動自在）に連結する。連結部３０ａ’は、隣り合うプレート１０ａ’、１０ｄ’の第２端部１２ａ’、１２ｄ’同士を着脱自在に連結する。連結部３０ｂ’は、隣り合うプレート１０ｂ’、１０ｃ’の第２端部１２ｂ’、１２ｃ’同士を着脱自在に連結する。プレート１０ａ’〜１０ｄ’は、プレート１００ａと形状が異なる以外、同じ構成である。蝶番２０ａ’〜２０ｃ’は蝶番２００ａと同じ構成である。連結部３０ａ’〜３０ｃ’も連結部３００ａと同じ構成である。なお、プレート１０ａ’〜１０ｄ’は、４つに限定されることなく、４以上の偶数である限り任意に設計変更することが可能である。例えば、プレートが６つである場合には、当該プレートは１／６円弧状となり、蝶番及び連結部は３つとなる。プレートが８つである場合には、当該プレートは１／８円弧状となり、蝶番及び連結部は４つとなる。
【００３９】
上述したプレートは、フレームと、網部と、一対の梁部とを有する構成であるとした。しかし、プレートは、偶数多角形の環状に配置され、当該多角形の一辺を構成しており且つ直角三角形状の第１端部とその反対側の第２端部とを有する、又は、円環状に配置され、当該円環の一部を構成しており且つ第１端部とその反対側の第２端部とを有する限り任意に設計変更することが可能である。例えば、図７に示す天板Ｔ’ように、プレート１００ａ’、１００ｂ’、１００ｃ’、１００ｄ’を木製又はアルミなどの金属製の板とすることが可能である。天板以外の構成は、上記実施例と同じである。なお、天板が正四角形以外の偶数多角形又は円環状である場合にも、プレートを上述した板で構成することが可能である。
【００４０】
上述したプレートの第２端部は直角三角形状であるとしたが、その形状は任意に設計変更することが可能である。例えば、図８に示すように、プレート１００ａ’’、１００ｂ’’、１００ｃ’’、１００ｄ’’の第２端部１１２ａ’’、１１２ｂ’’、１１２ｃ’’、１１２ｄ’’を矩形状とすることが可能である。この場合、連結部３００ａ’’は、プレート１００ａ’’、１００ｄ’’の第２端部１１２ａ’’、１１２ｄ’’を着脱自在に連結し、連結部３００ｂ’’は、プレート１００ｂ’’、１００ｃ’’の第１端部１１２ｂ’’、１１２ｃ’’を着脱自在に連結している。なお、天板が正四角形以外の偶数多角形又は円環状である場合にも、プレートの第２端部を直角三角形状以外の形状に設計変更することが可能である。
【００４１】
上記実施例では、プレート１００ａ、１００ｂ、１００ｃ、１００ｄは、貫通孔１２１ａを有するとした。しかし、貫通孔は省略可能である。また、貫通孔は、プレートの少なくとも一つに設けることが可能である。なお、天板が正四角形以外の偶数多角形又は円環状である場合にも、プレートの少なくとも一つに貫通孔を設けることが可能である。
【００４２】
上述した連結部は、板金と、ピンとを有するとした。しかし、連結部は、プレートの第２端部同士を着脱自在に連結し得るものである限り任意に設計変更することが可能である。例えば、連結部を略Ｕ字状の係止片とし、この係止片の両端部を隣り合うプレートの第２端部の係合溝又は係合孔に係合させる構成とすることが可能である。また、連結部は、隣り合うプレートのうちの一方のプレートの第２端部に旋回可能な係止片と、他方のプレートの第２端部に設けられた係止凸部とを有する構成とすることが可能である。この場合、係止片を旋回させ、当該係止片の係止凹部に係止凸部を係止させることにより、隣り合うプレートの第２端部同士を着脱自在に連結する。なお、全連結部は同じ構成である必要はなく、個々の連結部が異なる構成とすることが可能である。
【００４３】
上記実施例では、テーブルは、回動脚４１０及び補強片４２０、４３０を有する４つの脚部Ｌを備えているとした。しかし、脚部は、天板のプレートの少なくとも３つに設けられ且つ当該プレートに対して略直角に起立する起立位置から当該プレートに沿う折り畳み位置にかけて回動自在である又は天板のプレートの少なくとも３つに着脱自在に設けられている限り任意に設計変更することが可能である。後者の例としては、脚部は、前記プレートの底面に設けられた筒状のパイプに着脱自在に内嵌又は外嵌可能な筒状のパイプとすることが可能である。なお、前記プレートのパイプに内嵌する場合には、脚部は棒とすることが可能である。
【００４４】
なお、上記実施例では、天板及び折り畳みテーブルの各部を構成する素材、形状、寸法、数及び配置等はその一例を説明したものであって、同様の機能を実現し得る限り任意に設計変更することが可能である。なお、上記実施例では、天板Ｔの内側スペースが囲炉裏スペースとして用いられるとしたが、これに限定されるものではない。すなわち、本発明の天板は、通常のテーブルの天板として用いることが可能である。
【符号の説明】
【００４５】
Ｔ・・・・・・天板
１００ａ・・・プレート
１１１ａ・・第１端部
１１１ａ１・斜辺
１１２ａ・・第２端部
１１２ａ１・斜辺
１００ｂ・・・プレート
１１１ｂ・・第１端部
１１１ｂ１・斜辺
１１２ｂ・・第２端部
１１２ｂ１・斜辺
１００ｃ・・・プレート
１１１ｃ・・第１端部
１１１ｃ１・斜辺
１１２ｃ・・第２端部
１１２ｃ１・斜辺
１００ｄ・・・プレート
１１１ｄ・・第１端部
１１１ｄ１・斜辺
１１２ｄ・・第２端部
１１２ｄ１・斜辺
２００ａ・・・蝶番
２００ｂ・・・蝶番
３００ａ・・・連結部
３００ｂ・・・連結部
Ｌ・・・・・・脚部
【図１Ａ】
0005547143.tif 000002
【図１Ｂ】
0005547143.tif 000003
【図１Ｃ】
0005547143.tif 000004
【図１Ｄ】
0005547143.tif 000005
【図１Ｅ】
0005547143.tif 000006
【図２】
0005547143.tif 000007
【図３】
0005547143.tif 000008
【図４】
0005547143.tif 000009
【図５】
0005547143.tif 000010
【図６】
0005547143.tif 000011
【図７】
0005547143.tif 000012
【図８】
0005547143.tif 000013